(57)【要約】      （修正有）【課題】収容物の風味が損ねられたり収容物の見栄えが悪化することを防止できる食品用の容器を提供する。【解決手段】底部１１及び本体側壁部を有する容器本体と天部２１及び蓋体側壁部を有する蓋体とを備える容器において、前記天部に設けられた天部傾斜部２１ｂと、容器の外方へ突出する２つの外方リブ１３ａ′、１３ｂ′と容器の内方へ突出するように前記２つの外方リブの間に設けられた内方リブ１４′とからなる、第１の一組のリブ１５′と外方リブ１３ａ″、１３ｂ″と内方リブ１４″とからなる第２の一組のリブ１５″とが隣接して前記底部及び前記本体側壁部に設けられた、一組のリブ１５と、前記底部の周縁部に設けられた溝１１ｅとを備える。【選択図】図１
0003184424.tif 000002
【実用新案登録請求の範囲】
【請求項１】
底部及び本体側壁部を有する容器本体と天部及び蓋体側壁部を有する蓋体とを備える容器において、
前記天部に設けられた天部傾斜部と、
容器の外方へ突出する２つの外方リブと容器の内方へ突出するように前記２つの外方リブの間に設けられた内方リブとからなる一組のリブであって、第１の一組のリブと第２の一組のリブとが隣接して前記底部及び前記本体側壁部に設けられた、一組のリブと、
前記底部の周縁部に設けられた溝とを備える容器。
【請求項２】
前記底部に設けられた底部傾斜部を備える、請求項１に記載の容器。
【請求項３】
前記天部傾斜部と前記底部傾斜部とが同一の傾斜角度を有することによって、前記天部の上面の形状と前記底部の下面の形状とが対応する、請求項２に記載の容器。
【請求項４】
前記蓋体が、ヒンジ部を介し前記容器本体に対して回動可能に取り付けられた、請求項１乃至３の何れか１項に記載の容器。
【考案の詳細な説明】
【技術分野】
【０００１】
本考案は、容器本体及び蓋体を備える容器に関する。
【背景技術】
【０００２】
揚げ物や焼きそば等の暖かい食品を販売する場合、容器本体及び蓋体を備える容器に食品を収容して陳列販売することがある。しかしながら、暖かい食品からは概して水蒸気が発生しやすく、発生した水蒸気は蓋体の内面に付着し水滴となって収容物上に落下し、収容物の風味を損ねたり、収容物の見栄えを悪化させる。また、煮物や焼きそば等の水分を多く含む収容物は、容器の内面にべたつき易い。
【０００３】
そこで、蓋体の内面に水滴が付着することを防止するために、通気孔や吸気口が設けられた容器が提案されている（例えば、特許文献１参照）。
【先行技術文献】
【特許文献】
【０００４】
【特許文献１】特許第２９８１１５３号公報
【考案の概要】
【考案が解決しようとする課題】
【０００５】
しかしながら、通気孔等を設ける行程が増加することにより、当該容器の製造コストが増す問題がある。また、蓋体に通気孔を設けることにより、容器の美観ひいては収容物の見栄えが悪化する問題がある。
【０００６】
また、通気孔等は、収容物が容器の内面にべたつくという課題を解決できないという問題がある。
【課題を解決するための手段】
【０００７】
上記課題を解決するための本考案に係る容器の実施例は、底部及び本体側壁部を有する容器本体と天部及び蓋体側壁部を有する蓋体とを備え、前記天部に設けられた天部傾斜部と、容器の外方へ突出する２つの外方リブと容器の内方へ突出するように前記２つの外方リブの間に設けられた内方リブとからなる一組のリブであって、第１の一組のリブと第２の一組のリブとが隣接して前記底部及び前記本体側壁部に設けられた、一組のリブと、前記底部の周縁部に設けられた溝とを備える。
【０００８】
好ましくは、前記底部に設けられた底部傾斜部を備える。
また好ましくは、前記天部傾斜部と前記底部傾斜部とが同一の傾斜角度を有することによって、前記天部の上面の形状と前記底部の下面の形状とが対応する。
【０００９】
また好ましくは、前記蓋体が、ヒンジ部を介し前記容器本体に対して回動可能に取り付けられる。
【考案の効果】
【００１０】
本考案は、例えば、以下のような有利な効果を奏することができる。なお、詳細については、［実施例］において後述する。
容器の天部に天部傾斜部が設けられることによって、収容物の風味が損ねられたり収容物の見栄えが悪化することを防止できる。
【００１１】
第１の一組のリブと第２の一組のリブとが隣接して容器の底部及び本体側壁部に設けられることにより、収容物が容器の内面にべたつくことを防止できる。
収容物に含まれる水分（水滴、ソース類、汁等）が底部の周縁部に設けられた溝内に溜まることができる。
【００１２】
底部傾斜部が底部に設けられることにより、収容物の風味が損ねられることを防止できる。
天部傾斜部と底部傾斜部とが同一の傾斜角度を有することによって、天部の上面の形状と底部の下面の形状とが対応することにより、容器の積載効率が向上するとともに積載の安定化が図られる。
【図面の簡単な説明】
【００１３】
【図１】本考案に係る容器の一の実施例の開蓋時の平面図である。
【図２】図１中の容器の正面図である。
【図３】図２中のＡ−Ａ線に沿う部分断面図である。
【図４】図１中の容器の側面図である。
【実施例】
【００１４】
［容器１について］
図１中、容器１は、容器本体１０と、ヒンジ部２を介し容器本体１０に対して回動可能に取り付けられた蓋体２０とを備える。容器１は、材料としてポリスチレン系樹脂を使用し熱成形等の適宜な製造方法により製造される。容器１は、透明であるが、半透明又は不透明であってもよい。なお、容器１は、ポリエチレン系樹脂、ポリプロピレン系樹脂、ポリエチレンテレフタレート系樹脂、ポリカーボネート系樹脂等の適宜な材料から製造されてもよい。
【００１５】
［容器本体１０について］
容器本体１０は、略矩形の底部１１の四方に本体側壁部１２（１２ａ乃至１２ｄ）が立ち上がり上方が開放された形状である。底部１１が略矩形以外の多角形であり、その周縁部から本体側壁部１２が立ち上がっていてもよい。ヒンジ部２は、本体側壁部１２ａに接続する。
【００１６】
底部１１は、ヒンジ部２の長手方向に沿ってのびる稜線１１ａを境にヒンジ部２に向かって下方へ傾斜する第１の底部傾斜部１１ｂと、ヒンジ部２から離れるように下方へ傾斜する第２の底部傾斜部１１ｃとを有する。収容物（図示せず）から発生した水滴や収容物に含まれるソース類や汁等は、底部傾斜部１１ｂ，１１ｃに案内されて底部１１の周縁部に集められ、収容物の風味が損ねられることを防止できる。
【００１７】
稜線１１ａを横断（直交）する方向の幅は、第１の底部傾斜部１１ｂの方が第２の底部傾斜部１１ｃより狭い、すなわち、稜線１１ａは、その横断方向に関して底部１１においてオフセットされる。なお、上記両幅は、同じでもよいし、第１の底部傾斜部１１ｂの幅の方が第２の底部傾斜部１１ｃの幅より広くてもよい。また、第１の底部傾斜部１１ｂ及び第２の底部傾斜部１１ｃの何れか一方が下方へ傾斜しなくてもよい。この場合、水平面上に配置された容器１が水平を保つことができるように、容器１の底面に脚部（図示せず）が適宜設けられてもよい。
【００１８】
容器１の内方へ突出するリブ１１ｄは、第２の底部傾斜部１１ｃにおいて稜線１１ａに対して平行にのびるように設けられる。リブ１１ｄは、容器１を補強するだけでなく、収容物の滑り止めとして機能する。なお、リブ１１ｄは、少なくとも第１の底部傾斜部１１ｂ及び第２の底部傾斜部１１ｃの何れか一方に設けられてもよいし、設けられなくてもよい。溝１１ｅは、第１の底部傾斜部１１ｂ及び第２の底部傾斜部１１ｃを囲繞するよう底部１１の周縁部に設けられ、収容物に含まれる水分（水滴、ソース類、汁等）が溝１１ｅ内に溜まることができる。なお、本実施例では、溝１１ｅは、本体側壁部１２ａに対応する同周縁部には設けられていないが、設けられてもよい。
【００１９】
一組のリブ１５は、底部１１の周縁部近傍において所定間隔離隔されて設けられる。一組のリブ１５は、容器１の外方へ突出する２つの外方リブ１３ａ，１３ｂと、容器１の内方へ突出するように２つの外方リブ１３ａ，１３ｂの間に設けられた内方リブ１４とからなる。各リブ１３，１４は、両側の本体側壁部１２ｂ，１２ｄに隣接する領域において稜線１１ａに対して平行にのび、正面の本体側壁部１２ｃに隣接する領域において稜線１１ａを横断（直交）する方向にのびる。第１の一組のリブ１５’と第２の一組のリブ１５”とは互いに隣接して、底部１１に設けられる（図１乃至３参照）。なお、各リブ１３，１４は、本実施例の如く、本体側壁部１２の立ち上がり方向に沿うように上方へ更にのびて本体側壁部１２に延設されてもよいし、一組のリブ１５が底部１１とは別個に本体側壁部１２に設けられてもよい。
【００２０】
収容物の本体が容器１の内面に対して面接触ではなく内方リブ１４に対して線接触し、収容物に含まれる水分（水滴、ソース類、汁等）が内方リブ１４の両側に設けられた２つの外方リブ１３の溝に逃がされることにより、収容物が容器１の内面にべたつくことを防止できる。更に、ハンバーグ等の固形の収容物が容器１内で変形することを防止できる。
【００２１】
［蓋体２０について］
蓋体２０は、略矩形の天部１１の四方に蓋体側壁部２２（２２ａ乃至２２ｄ）が下向きに周設され閉蓋時に下方が開放された形状である。天部１１は、底部１１の形状に対応するように略矩形以外の多角形でもよい。ヒンジ部２は、蓋体側壁部２２ａに接続する。
【００２２】
天部２１は、ヒンジ部２の長手方向に沿ってのびる稜線２１ａを境にヒンジ部２に向かって下方（閉蓋時）へ傾斜する第１の天部傾斜部２１ｂと、ヒンジ部２から離れるように下方（閉蓋時）へ傾斜する第２の天部傾斜部２１ｃとを有する。収容物から発生し天部２１の内面に付着して水滴となる水蒸気は、蓋体２０の周縁部まで天部傾斜部２１ｂ，ｃによって案内され、次いで蓋体側壁部２２及び本体側壁部１２をつたって容器本体１０（溝１１ｅ）に集められる。これによって、収容物の風味が損ねられたり収容物の見栄えが悪化することを防止できる。
【００２３】
なお、稜線２１ａを横断（直交）する方向の幅は、第１の天部傾斜部２１ｂの方が第２の天部傾斜部２１ｃより狭いが、同じでもよいし、第１の天部傾斜部２１ｂの方が第２の天部傾斜部２１ｃより広くてもよい。また、第１の天部傾斜部２１ｂ及び第２の天部傾斜部２１ｃの何れか一方が下方へ傾斜しなくてもよい。
【００２４】
天部２１の上面の形状と底部１１の下面の形状とが対応するように、第１の天部傾斜部２１ｂの傾斜角度及び第２の天部傾斜部２１ｃの傾斜角度と、第１の底部傾斜部１１ｂの傾斜角度及び第２の底部傾斜部１１ｃの傾斜角度の夫々とは略同一であり、第１の天部傾斜部２１ｂの幅及び第２の天部傾斜部２１ｃの幅と、第１の底部傾斜部１１ｂの幅及び第２の底部傾斜部１１ｃの幅の夫々とは略同一である。
【００２５】
これによって、一の容器１上に他の容器１を積載した際、他の容器１の第１の底部傾斜部１１ｂの傾斜角度及び第２の底部傾斜部１１ｃによって形成される凹部内に一の容器１の第１の天部傾斜部２１ｂの傾斜角度及び第２の天部傾斜部２１ｃによって形成される凸部が嵌合し、容器１の積載効率が向上されるとともに積載の安定化が図られる。
【００２６】
一組のリブ２５は、一組のリブ１５と同様に、容器１の外方へ突出する２つの外方リブ２３ａ，２３ｂと、容器１の内方へ突出するように２つの外方リブ２３ａ，２３ｂの間に設けられた内方リブ２４とからなる。一組のリブ２５は、第１の天部傾斜部２１ｂにおいて、各リブ２３，２４が稜線２１ａを横断（直交）する方向にのびるように、所定間隔離隔されて設けられる。各リブ２３，２４は、本実施例の如く、蓋体側壁部２２ａに沿って下向きに延設されてもよいし、一組のリブ２５が天部２１とは別個に蓋体側壁部２２ａに設けられてもよい。
【００２７】
容器１の外方へ突出する他の外方リブ２６は、下向きにのびるように、両側の蓋体側壁部２２ｂ，２２ｄ及び正面の蓋体側壁部２２ｃにおいて周方向に所定間隔離隔されて設けられる。他の外方リブ２６は、本実施例の如く、上方にのびて天部２１に延設されてもよい。なお、他の外方リブ２６に代えて、一組のリブ２５が蓋体側壁部２２ｂ乃至２２ｄに設けられてもよい。
【符号の説明】
【００２８】
１      容器
２      ヒンジ部
１０    容器本体
１５    一組のリブ
２０    蓋体
【図１】
0003184424.tif 000003
【図２】
0003184424.tif 000004
【図３】
0003184424.tif 000005
【図４】
0003184424.tif 000006